(57)【要約】      （修正有）【課題】レールを介した試験室内外の熱移動を抑制することができる環境試験装置を提供する。【解決手段】被試験物を配置する試験室５を有し、当該試験室５の内部に所定の環境を人工的に創出することができる環境試験装置１であり、試験室５の内外を実質的に繋ぐレール１０を有している。レール１０は一部に着脱可能部（レール片１６）があり、着脱可能部は、前記試験室５内と前記試験室５外との境界部分及び／又はその近傍部分にある。【選択図】図２
2020085581.tif 000002
【特許請求の範囲】
【請求項１】
被試験物を配置する試験室を有し、当該試験室の内部に所定の環境を人工的に創出することができる環境試験装置において、
前記試験室の内外を実質的に繋ぐレールを有し、
前記レールは一部に着脱可能部があり、前記着脱可能部は、前記試験室内と前記試験室外との境界部分及び／又はその近傍部分を含む位置にあることを特徴とする環境試験装置。
【請求項２】
前記着脱可能部を取り外した後に装着する詰め物を有することを特徴とする請求項１に記載の環境試験装置。
【請求項３】
前記試験室の床部には溝があり、前記レールは前記溝内にあり、前記詰め物はブロック状であって、前記レールを取り外した後の前記溝にそのまま、又は変形して合致する形状であることを特徴とする請求項２に記載の環境試験装置。
【発明の詳細な説明】
【技術分野】
【０００１】
本発明は環境試験装置に関するものであり、特に、重量物を被試験物とする環境試験装置として好適なものである。
【背景技術】
【０００２】
製品や部品等の性能や耐久性を調べる方策として、環境試験が知られている。環境試験は、環境試験装置と称される設備を使用して実施される。環境試験装置は、例えば高温環境や、低温環境、高湿度環境等を人工的に作り出すものである。
【０００３】
環境試験の試験対象は、ＩＣチップの様な小さな物から、自動車や航空機の部品の様な大きなものまである。また数百キログラム以上に及ぶ様な重量物を被試験物とする場合もある。重量物を被試験物とする環境試験装置には、試験室内への被試験物の出し入れを円滑にすることを目的として、試験室の内外に跨がるレールを有するものがある。
即ち試験室の底面から試験室が設置された部屋の床面にかけて、一連のレールが敷設された環境試験装置がある。
【０００４】
そしてレールの上に台車（貨車）を設置し、当該台車に被試験物が搭載される。作業者は、被試験物を台車に載せたままの状態で、人力又は動力によって台車を移動させ、試験室の中に設置する。
多くの場合、被試験物を台車に載せたままの状態で、試験室内の環境にさらし、環境試験を行う。
試験を終えると、レールに沿って台車を試験室から引き出す。
【先行技術文献】
【特許文献】
【０００５】
【特許文献１】特開２０１３−１０８７１２号公報
【特許文献２】特開２０１４−６６５９３号公報
【発明の概要】
【発明が解決しようとする課題】
【０００６】
上記したレールが敷設された環境試験装置によると、重たい被試験物であっても、試験室内に容易に出し入れすることができる。
しかしながら、従来技術の環境試験装置では、レールは、所謂一本もののレールであり、レールの一端側が試験室内にあり、同じレールの中間部が試験室の内外を跨ぎ、同じレールの他端側が試験室の外にある。
そのためレールによって、試験室の内外の間で熱移動が生じてしまう場合があった。
即ち環境試験は、外気温度とは異なる温度で実施される場合が多く、試験室内の温度は、外気温度とは違う場合が多い。そのためレールを通じて熱伝導が起こり、試験室内の温度環境を乱したり、試験室内の温度環境を維持するために、より多くの電力を消費してしまう場合があった。
【０００７】
また試験室が低温環境である場合、レールの試験室内に敷設された部位が冷やされ、熱伝導によってレールの試験室外の部分の温度が低下する傾向となる場合がある。その結果、レールの表面に結露が生じたり、霜付きが発生する場合があった。
試験室が高温環境である場合、レールの試験室外にある部分が高温になりうることを考慮し、作業時に注意する必要が生じる場合があった。
結露等を防止するために、レールに断熱材を取り付けることも考えられるが、レールの形状は複雑であり、これに合致する断熱材を製作し、これを装着するには相当の手間を要する。
【０００８】
本発明は、従来技術の上記した問題点に注目し、レールを介した試験室内外の熱移動を抑制することができる環境試験装置を開発することを課題とするものである。
【課題を解決するための手段】
【０００９】
上記した課題を解決するための態様は、被試験物を配置する試験室を有し、当該試験室の内部に所定の環境を人工的に創出することができる環境試験装置において、前記試験室の内外を実質的に繋ぐレールを有し、前記レールは一部に着脱可能部があり、前記着脱可能部は、前記試験室内と前記試験室外との境界部分及び／又はその近傍部分を含む位置にあることを特徴とする環境試験装置である。
【００１０】
ここで「試験室の内外を実質的に繋ぐレール」とは、例え一部に切れ目があったとしても、車輪が当該切れ目を乗り越えて走行することができるものであることを意味する。
本態様の環境試験装置で採用するレールは、所謂一本もののレールではなく、分割された部材が繋がれたレールである。本態様で採用するレールは、試験室内と試験室外との境界部分に該当する領域や、境界の近傍部分に該当する領域を取り外すことができる。
本態様の環境試験装置を使用して試験を行う場合、試験室内に被試験物を搬入した後に、着脱可能部を取り外す。
その結果、試験室内が試験室外の温度環境とは異なる温度環境となっても、レールが分断されているので、レールによる試験室内外の熱移動が生じにくい。
【００１１】
上記した態様において、着脱可能部を取り外した後に装着する詰め物を有することが望ましい。
【００１２】
前記した詰め物は、断熱材であることが望ましい。
着脱可能部を取り外すと、レールの一部に欠損部ができる。欠損部によって熱伝導は遮断されるが、当該欠損部を介して試験室内外が連通し、通気して試験室内の環境を乱してしまう場合がある。
本態様は、この問題に対処するものであり、欠損部に詰め物を設けることにより、試験室内外の通気を防ぐことができる。
【００１３】
上記した態様において、前記試験室の床部には溝があり、前記レールは前記溝内にあり、前記詰め物はブロック状であって、前記レールを取り外した後の前記溝にそのまま、又は変形して合致する形状であることが望ましい。
【００１４】
本態様によると、溝を経由した空気の移動を、ブロック状の詰め物で阻止することができる。
【発明の効果】
【００１５】
本発明の環境試験装置では、レールを介した試験室内外の熱移動を抑制することができる。
【図面の簡単な説明】
【００１６】
【図１】本発明の実施形態の環境試験装置及び台車（貨車）の斜視図であり、環境試験装置の扉を閉じた状態を示す。
【図２】図１の環境試験装置の斜視図であり、環境試験装置の扉を開いた状態を示す。
【図３】図１の環境試験装置のレールの平面図であって、（ａ）は着脱可能部が装着されていてレールが一連に繋がっている状態を示し、（ｂ）は着脱可能部が外されてレールが分断された状態を示し、（ｃ）はレールの欠損部に断熱ブロックが装着された状態を示す。
【図４】図１の環境試験装置の扉近傍の断面斜視図であって、着脱可能部が装着されていてレールが一連に繋がっている状態を示す。
【図５】図１の環境試験装置の扉近傍の断面斜視図であって、着脱可能部が外されてレールが分断された状態を示す。
【図６】図１の環境試験装置の扉近傍の断面斜視図であって、レールの欠損部に断熱ブロックが装着された状態を示す。
【図７】試験室内に被試験物を搬入する際における環境試験装置の扉部近傍の断面図であり、（ａ）は扉を開いてその扉の近傍を台車が通過する際の様子を示し、（ｂ）は扉を開いた扉部近傍を台車が通過した後にレールの着脱可能部を外した状態を示し、（ｃ）はレールの欠損部に断熱ブロックを装着した状態を示し、（ｄ）は扉を閉じた状態を示す。
【図８】本発明の他の実施形態の環境試験装置の扉近傍の断面斜視図であって、着脱可能部が装着されていてレールが一連に繋がっている状態を示す。
【発明を実施するための形態】
【００１７】
以下さらに本発明の実施形態について説明する。
本実施形態の環境試験装置１は、大型の重量物を試験する用途に設計されたものである。
環境試験装置１は、公知のそれと同様に、断熱壁２によって覆われた試験室５（図２）を有している。試験室５は、被試験物１０２を設置する空間である。
環境試験装置１は、図示しない空調手段を有しており、試験室５内に所望の環境を人工的に創出することができる。
【００１８】
空調手段は、公知のそれと同様、加湿装置、冷却装置及び加熱ヒータ（加熱装置）等を有している（いずれも図示せず）。また試験室５と空調手段との間で空気を循環させるための送風機（図示せず）を備えている。
試験室５内には図示しない温度センサーと湿度センサーが設けられており、温度センサーと湿度センサーの検出値が、空調手段を構成する機器にフィードバックされ、試験室５内の温度や湿度が所望の値に調節される。
空調手段は試験室５と一体であってもよく、また個別の装置であってもよい。
【００１９】
試験室５の前面には、扉６が設けられている。本実施形態では、２枚の扉片７によって構成される観音開き形式の扉６である。扉の形式は、任意であり、一枚扉でもよく、引き戸や昇降扉であってもよい。
【００２０】
本実施形態の環境試験装置１では、試験室５内に被試験物１０２を出し入れするために一対のレール１０が敷設されている。
レール１０は、試験室５の内外に跨がって敷設されている。
即ち試験室５の底面１１から環境試験装置１が設置された部屋の床（以下  単に「部屋の床」と称する）１２に掛けて、溝１３が平行に２本形成されている。溝１３は、試験室５の底面１１から部屋の床１２に掛けて連続している。
【００２１】
そして当該溝１３内にそれぞれレール１０が敷設されている。
本実施形態のレール１０は、図２、図３、図４の様に、３分割されたレール片１５、１６、１７によって構成されている。
レール片１５、１６、１７の断面形状はいずれも同じであり、図４の様に、頭部２０、腹部２１、底部２２によって構成されている。本実施形態では、図４の拡大図の様に、レール片１５、１６、１７の底部２２に貫通孔１８が設けられている。また溝１３の底面には、ネジ（雌ねじ）が埋設されたネジ孔２５がある。
各レール片１５、１６、１７は、図４の拡大図の様に、溝１３のネジ孔２５にレール片の貫通孔１８を合致させ、ボルト２６が挿通されて溝１３に固定されている。
【００２２】
本実施形態では、３分割されたレール片１５、１６、１７の内、レール片１５は、試験室５の底面１１に形成された溝１３に敷設されており、レール片１７は、部屋の床１２に形成された溝１３に敷設されている。レール片１６は、図４の様に、試験室５と部屋との境界部分にある。即ちレール片１６の位置は、図４の様に、レール片１５とレール片１７とに挟まれた中間位置であり、且つ環境試験装置１の扉６の真下に相当する位置にある。
【００２３】
３本のレール片１５、１６、１７が総て固定された状態においては、レール片１５、１６、１７は直線的に配置され、実質的に一本のレール１０として機能する。
本実施形態では、レール片１５は、試験室５の底面１１に形成された溝１３に敷設されており、レール片１６は扉６の真下であって試験室５の底面１１と部屋の床１２との境界部分にあり、レール片１７は部屋の床１２に形成された溝１３にある。
そのため３本のレール片１５、１６、１７が総て固定された状態においては、レール１０は、実質的に試験室５の内外を繋ぎ、台車１００の車輪１０１は、レール１０上に乗ってレール片１５、１６、１７の上を走行することができる。
【００２４】
本実施形態では、前記した様にレール１０が３分割されたレール片１５、１６、１７によって構成されているので、中間のレール片１６だけを取り外すことができる。
この様に、本実施形態の環境試験装置１では、中間のレール片１６が着脱可能部となっている。即ち中間のレール片１６は、両端側のレール片１５、レール片１７から独立したものであり、ボルト２６によって溝１３に固定されているから、レール片１６を固定しているボルト２６を外すことによって、図３（ｂ）、図５の様に中間のレール片１６だけを取り除くことができる。
本実施形態の環境試験装置１では、中間のレール片１６が着脱可能部を構成するレール片である。
【００２５】
次に、環境試験装置１の試験室５に被試験物１０２を搬入する方法について説明する。  試験室５内に被試験物１０２を搬入する際には、図２、図３（ａ）、図４の様に、中間部のレール片（着脱可能部を構成するレール片）１６を所定の位置に設置し、３本のレール片１５、１６、１７によって構成されるレール１０によって、試験室５の内外を実質的に繋いだ状態としておく。
【００２６】
被試験物１０２は、台車１００に載置する。台車１００は、図１の様に試験室５の外にあり、レール１０の一部であって、部屋の床１２に敷設された領域に載置されている。
そして図２の様に扉６を開き、台車１００をレール１０に沿って試験室５内に押し入れる。台車１００の車輪１０１は、図７（ａ）の様にレール片１７から着脱可能部を構成する中間のレール片１６に乗り移り、さらに中間のレール片１６から試験室５内のレール片１５に乗り移る。
【００２７】
台車１００が試験室５内に搬入されると、図３（ｂ）、図５、図７（ｂ）の様に、中間部のレール片１６を外す。そして図３（ｃ）、図６、図７（ｃ）の様に、レールの欠損部２３を含む溝１３に詰め物３０を入れ、溝１３の試験室５側を部屋の床１２側から遮蔽する。
【００２８】
この状態で、図１、図７（ｄ）の様に扉６を閉じる。扉６が閉じられると、図６、図７（ｄ）の様に、扉６の下部の位置で溝１３が遮蔽され、扉６と詰め物３０によって、試験室５の内外が遮蔽され、試験室５内が気密状態となる。
この状態で、図示しない空調手段を起動し、試験室５内の環境を人工的に所望の環境に調節して環境試験を実施する。
【００２９】
本実施形態の環境試験装置１では、環境試験中においては、レール１０が、試験室５と部屋との境界部分で分断されており、試験室５内の熱や冷熱が熱伝導によって試験室５外のレール片１７に伝導されることが抑制される。
即ち試験中においては、着脱可能部を構成する中間のレール片１６が取り外されており、レール１０には欠損部２３がある。そのためレール１０の試験室５内側と試験室５の外部側は、繋がっておらず、レール１０を介しての熱伝導は起こらない。
例えば試験室５内が高温であっても、試験室５外のレール１０（レール片１７）が高温状態となることが防止される。同様に、試験室５内が低温であっても、試験室５外のレール１０（レール片１７）の温度が低下することが防止され、結露が防止される。
【００３０】
次に、詰め物３０について説明する。本実施形態では、詰め物は断熱性を有する素材で作られたものであり、ブロック状である。詰め物３０は、着脱可能部を構成する中間のレール片１６を取り外した後、溝１３に詰め込まれて溝１３の前後を遮蔽するものである。詰め物３０は、例えばその断面形状が、溝１３と同一であってもよく、多少異なる形状であってもよい。例えば、詰め物３０の一部又は全部が変形可能であり、溝１３に押し込むことよって変形して溝１３と合致する形状であってもよい。
【００３１】
以上説明した実施形態では、環境試験装置１の扉６の真下に相当する位置に、着脱可能部を構成するレール片１６が配置されている。この様に、着脱可能部を構成するレール片１６は、試験室５の内外の境界部を含むことが望ましいが、着脱可能部は、図８の様に、試験室５内であって、境界部の近傍にあってもよい。
着脱可能部が試験室５の外にあることは推奨されないが、これを排除するものではない。
着脱可能部は、試験室５の内外の境界部を跨ぐものであってもよく、境界部の一部にあってもよく、境界部の一部又は全部を含む試験室５側にあってもよく、境界部の一部又は全部を含む部屋の床１２側にあってもよい。
また着脱可能部は、境界部に位置せず、境界部の近傍にあってもよい。
【符号の説明】
【００３２】
１  環境試験装置
５  試験室
６  扉
７  扉片
１０  レール
１３  溝
１６  レール片（着脱可能部を構成するレール片）
３０  詰め物
１００  台車
１０２  被試験物
【図１】
2020085581.tif 000003
【図２】
2020085581.tif 000004
【図３】
2020085581.tif 000005
【図４】
2020085581.tif 000006
【図５】
2020085581.tif 000007
【図６】
2020085581.tif 000008
【図７】
2020085581.tif 000009
【図８】
2020085581.tif 000010